(57)【要約】【課題】キャビネットの高さ調整用のスペーサが取り付けられる支持台に於いて、重量の重いキャビネットを安定して支持する。【解決手段】支持台２は、床面に接する載置板２０上に、前面にディスプレイ面１０を有するキャビネット１の高さを調整するスペーサ３が着脱自在に取り付けられる。スペーサ３は上面が前方に向かって下向きに傾いた傾斜面３１を形成しており、キャビネット１の下端部を受ける傾斜面３１の下端部の内側に補強壁３０が形成されている。載置板２０には、キャビネット１の後端部に取り付けられる取付け具５が設けられており、補強壁３０と取付け具５にてキャビネット１の前後を支持する。【選択図】　　図３
2004085742.tif 000002
【特許請求の範囲】
【請求項１】
床面に接する載置板（２０）上に、ディスプレイ面（１０）を有するキャビネット（１）の高さを調整するスペーサ（３）が着脱自在に取り付けられる支持台に於いて、
スペーサ（３）は上面が前後何れかに向かって下方に傾いた傾斜面（３１）を形成しており、キャビネット（１）の下端部を受ける傾斜面（３１）の下端部の内側に補強壁（３０）が形成され、
載置板（２０）又はスペーサ（３）には、補強壁（３０）に支持されるキャビネット（１）の端部とは反対側の端部に取り付けられる取付け具（５）が設けられており、補強壁（３０）と取付け具（５）にてキャビネット（１）の前後を支持することを特徴とする支持台。
【請求項２】
載置板（２０）とスペーサ（３）の上面との間に、スピーカボックス（４）が嵌まる空間が形成され、スペーサ（３）の前面にはスピーカボックス（４）の前面が被さる請求項１に記載の支持台。
【請求項３】
スペーサ（３）は中空に形成され、載置板（２０）上にはスペーサ（３）が嵌まり、且つ上面にてキャビネット（１）を支持できる受け片（６）が設けられた請求項１又は２に記載の支持台。
【請求項４】
ディスプレイ面（１０）を有するキャビネット（１）と、床面に接する載置板（２０）上に該キャビネット（１）の高さを調整するスペーサ（３）が着脱自在に取り付けられる支持台（２）とを具えた画像表示ユニットに於いて、
スペーサ（３）は上面が前後何れかに向かって下方に傾いた傾斜面（３１）を形成しており、キャビネット（１）の下端部を受ける傾斜面（３１）の下端部の内側に補強壁（３０）が形成され、
載置板（２０）には、補強壁（３０）に支持されるキャビネット（１）の端部とは反対側の端部に取り付けられる取付け具（５）が立設されており、補強壁（３０）と取付け具（５）にてキャビネット（１）の前後を支持することを特徴とする画像表示ユニット。
【発明の詳細な説明】
【０００１】
【発明の属する技術分野】
本発明は、ディスプレイ機器のキャビネットを支持する支持台、及び該支持台にディスプレイ機器を取り付けた画像表示ユニットに関するものである。
【０００２】
【従来の技術】
図１０は、従来の画像表示ユニットの側面図である（実開昭５７−５５９９５号参照）。これは床面（７）に接する載置板（２０）上に、テレビジョン機器のキャビネット（１）を設けたものであり、キャビネット（１）の底面と載置板（２０）との間に、高さ調整用のスペーサ（３）（３）が挿入される。載置板（２０）とスペーサ（３）とで、キャビネット（１）の支持台（２）を構成する。テレビジョン機器の視聴者は、所望の高さのスペーサ（３）をキャビネット（１）の底面と載置板（２０）との間に挿入することにより、視聴者の姿勢に合わせて、キャビネット（１）の高さを変えることができる。
【０００３】
【発明が解決しようとする課題】
近年画面の大きな、具体的には画面対角線の長さが３０インチ以上のテレビジョン機器が市販されている。かかる大型のテレビジョン機器はキャビネット（１）の重量も重いから、スペーサ（３）の強度が弱いと、キャビネット（１）の高さ調整時にスペーサ（３）が壊れる虞れがある。また、キャビネット（１）を不用意に倒れないように支持する必要もある。特に、薄型化したキャビネット（１）の場合は、安定して支持する必要がある。
本発明の目的は、キャビネット（１）の高さ調整用のスペーサ（３）が取り付けられる支持台に於いて、重量の重いキャビネット（１）を安定して支持する点にある。
【０００４】
【課題を解決する為の手段】
床面に接する載置板（２０）上に、ディスプレイ面（１０）を有するキャビネット（１）の高さを調整するスペーサ（３）が着脱自在に取り付けられる支持台に於いて、
スペーサ（３）は上面が前後何れかに向かって下方に傾いた傾斜面（３１）を形成しており、キャビネット（１）の下端部を受ける傾斜面（３１）の下端部の内側に補強壁（３０）が形成され、
スペーサ（３）又は載置板（２０）には、補強壁（３０）に支持されるキャビネット（１）の端部とは反対側の端部に取り付けられる取付け具（５）が設けられており、補強壁（３０）と取付け具（５）にてキャビネット（１）の前後を支持する。
【０００５】
【作用及び効果】
キャビネット（１）の下端部は傾斜面（３１）にて受けられ、傾斜面（３１）の下端部の内側に補強壁（３０）が形成されている。キャビネット（１）の荷重は補強壁（３０）にて受けられる。また、補強壁（３０）に対向したキャビネット（１）の端部と反対側の端部には、スペーサ（３）又は載置板（２０）に設けられた取付け具（５）が取り付けられている。
キャビネット（１）の荷重が補強壁（３０）にて受けられるから、キャビネット（１）の荷重が重くても、スペーサ（３）が破損することはない。また、キャビネット（１）は前端部が補強壁（３０）に、後端部が取付け具（５）に支持され、キャビネット（１）はキャビネット（１）の厚み分だけ距離を離して支持されるから、キャビネット（１）を安定して支持することができる。
【０００６】
【発明の実施の形態】
以下、本発明の一例を図を用いて詳述する。
図１は、ディスプレイ機器の全体斜視図である。本例にあっては、ディスプレイ機器として、画面の対角線長さが３０−４２インチ程度のプラズマディスプレイを例示するが、これに限定されない。
床面（７）に接する載置板（２０）には、一対のスペーサ（３）（３）が互いに左右に離間して設けられ、該スペーサ（３）（３）上にディスプレイ機器のキャビネット（１）が載置される。載置板（２０）とスペーサ（３）（３）又は後記の受け片（６）にて、キャビネット（１）の支持台（２）を構成し、キャビネット（１）と支持台（２）とで、１つの画像表示ユニットを構成する。
キャビネット（１）の下面と、載置板（２０）の上面の間には、スピーカボックス（４）が嵌まる。キャビネット（１）の前面は、周知の如く、画像を表示するディスプレイ面（１０）を形成し、スピーカボックス（４）の前面から音声が放出される。
【０００７】
図２に示すように、プラズマディスプレイのディスプレイ面（１０）は裏面に透明電極（１４）を貼り付けた前面ガラス板（１２）を具え、前面ガラス板（１２）と後面ガラス板（１３）との間に、不活性ガスを封入している。前面ガラス板（１２）と後面ガラス板（１３）との間の空間は、隔壁（１５）によって多数のセルに仕切られ、該セル内に蛍光体（１６）が塗布されている。透明電極（１４）（１４）に電圧を加えて放電させると紫外線が発生し、それにより蛍光体（１６）が発光して画像が表示される。従って、ブラウン管方式のように電子ビームを走査する必要がないから、前後の厚みを薄くできる。即ち、画面が大きくキャビネット（１）が重いにも拘わらず、キャビネット（１）の厚みが薄いから、キャビネット（１）を安定して支持する必要があり、後記の工夫がなされている。
【０００８】
本例に示す支持台（２）は、スペーサ（３）を外すことにより高さ調整可能に設けられ、視聴者の見る姿勢にキャビネット（１）の高さを合わせることができる。
図３（ａ）、（ｂ）は、夫々キャビネット（１）及び支持台（２）の正面図、右側面図である。キャビネット（１）は、ディスプレイ面（１０）の後側に、各種電気部品を収納する収納箱（１１）を具え、該収納箱（１１）の下面は、前方に向かって下向きに傾斜している。該収納箱（１１）がスペーサ（３）の上面に載置されて、キャビネット（１）が支持される。スペーサ（３）の上面は、前方に向かって下向きに傾いた傾斜面（３１）を形成し、収納箱（１１）の下面に合わさる形状となっている。
【０００９】
スペーサ（３）は中空に形成され、前端部内側にキャビネット（１）の荷重を受ける補強壁（３０）を設けている。キャビネット（１）の荷重を補強壁（３０）で受けていることにより、スペーサ（３）が上からキャビネット（１）に押されて壊れる虞れはない。
スペーサ（３）は、載置板（２０）上に設けられた一対の受け片（６）（６）に着脱自在に嵌まり、受け片（６）でもキャビネット（１）を支持することができる。受け片（６）の上面も、収納箱（１１）の上面に合わせて、前方に向かって下向きに傾いた斜面（６０）を形成している。
図４（ａ）、（ｂ）は、夫々スペーサ（３）を外した状態に於けるキャビネット（１）及び支持台（２）の正面図、右側面図である。スペーサ（３）及びスピーカボックス（４）を外すことにより、スペーサ（３）の高さと受け片（６）の高さの差だけ、キャビネット（１）を低くすることができ、これにより視聴者の姿勢に合わせて、キャビネット（１）の高さを変えることができる。また、視聴者の中には、スピーカボックス（４）を利用しない者もいるから、かかる視聴者の好みに応じて、画像表示ユニット全体のレイアウトを変更できる。
尚、高さの異なるスペーサ（３）を数種類用意しておき、高さを種々変更してもよい。
【００１０】
（取付け構造の詳細）
図５は、スペーサ（３）と載置板（２０）の分解斜視図であり、図６は、受け片（６）の平面図、図７は、スペーサ（３）を載置板（２０）に取り付けた状態を示す斜視図である。
受け片（６）の上面にて、斜面（６０）の後方には、水平面（６１）が形成され、該水平面（６１）に透孔（６２）が開設されている。透孔（６２）には縦に伸びた板状の取付け具（５）が上から嵌まる。取付け具（５）は収納箱（１１）の後端面にネジ止めされて、キャビネット（１）の後端部を支持する（図３、図４参照）。
即ち、キャビネット（１）は前端部が補強壁（３０）に、後端部が取付け具（５）に支持され、キャビネット（１）の厚み分だけ距離を離して支持されるから、前記の如く、キャビネット（１）の厚みが薄くともキャビネット（１）を安定して支持することができる。
【００１１】
取付け具（５）には、複数のネジ貫通孔（５０）（５０）が上下に開設され、取付け具（５）の後方からネジ（図示せず）をネジ貫通孔（５０）を通ってキャビネット（１）の後端面に螺合させる。ネジ貫通孔（５０）（５０）が複数開設されているから、スペーサ（３）の着脱により、キャビネット（１）の高さを変更しても、取付け具（５）とキャビネット（１）をネジ止めできる。図６に示すように、受け片（６）の後方から、止めネジ（６５）を挿入し、受け片（６）の後端面及び透孔（６２）に嵌まった取付け具（５）を貫通して、止めネジ（６５）の先端部にナット（６４）を螺合させることにより、取付け具（５）がナット（６４）と受け片（６）の後端面に挟持され、受け片（６）に取り付けられる。
尚、透孔（６２）（６２）を２つ以上前後に開設し、取付け具（５）を何れかの透孔（６２）（６２）に選択的に嵌めてもよい。キャビネット（１）の厚みｌ（図４（ｂ）参照）は、ディスプレイ面（１０）のサイズによって異なるから、取付け具（５）を何れかの透孔（６２）（６２）に嵌めることにより、ディスプレイ面（１０）の前後位置を変えることなく、キャビネット（１）を受け片（６）又はスペーサ（３）に取り付けることができる。
また、取付け具（５）はスペーサ（３）に取り付けられてもよい。
【００１２】
受け片（６）の斜面（６０）には、２つのネジ孔（６６）（６６）が前後に開設され、各スペーサ（３）の傾斜面（３１）には該ネジ孔（６６）（６６）に合わさるネジ嵌め孔（３２）及びスリット（３３）が開設されている。スペーサ（３）の上方から、止めネジ（３４）（３４）をネジ嵌め孔（３２）及びスリット（３３）を通って、受け片（６）のネジ孔（６６）（６６）に螺合させることにより、スペーサ（３）を受け片（６）及び載置板（２０）に取り付けることができる。また、スペーサ（３）には、取付け具（５）の貫通を許す透窓（３６）が開設されている。
スペーサ（３）の内側側面の下端部には切欠き（３５）が開設され、該切欠き（３５）内に受け片（６）の内側側面が位置する。受け片（６）の内側側面とスペーサ（３）の内側側面は、略同一面内に位置する。仮に、切欠き（３５）を開設せずに、受け片（６）の内側側面をスペーサ（３）にて覆うと、後記するように、両スペーサ（３）（３）間には、スピーカボックス（４）が嵌まるから、スペーサ（３）の内側側面の厚み分だけスペーサ（３）（３）間の間隔が大きくなる。従って、スペーサ（３）（３）の間隔をできるだけ狭めて、載置板（２０）の大型化を防ぐべく、スペーサ（３）の内側側面に切欠き（３５）を開設している。
【００１３】
スピーカボックス（４）は、図７に示すように、横長の前面パネル（４０）の後方に、箱体（４１）を設けて構成され、箱体（４１）が両スペーサ（３）（３）間に嵌まる。載置板（２０）上にて両スペーサ（３）（３）間には、ネジ貫通孔（２１）（２１）が開設され、載置板（２０）の下方から、止めネジ（４２）（４２）をネジ貫通孔（２１）（２１）を通って箱体（４１）の底面に螺合させることにより、スピーカボックス（４）が載置板（２０）にネジ止めされる。
図８に示すように、スピーカボックス（４）が載置板（２０）にネジ止めされた状態では、前面パネル（４０）がスペーサ（３）の前面の大部分を隠している。前記の如く、スペーサ（３）の上面にはキャビネット（１）が載置されるから、スペーサ（３）は図１に示すように、キャビネット（１）とスピーカボックス（４）に隠れて、前方からごく一部が見えるだけ、又は全て隠れてしまうから、見映えが良くなる。
【００１４】
キャビネット（１）の荷重が補強壁（３０）にて受けられるから、キャビネット（１）の荷重が重くても、スペーサ（３）が破損することはない。また、キャビネット（１）は、前端部が補強壁（３０）に、後端部が取付け具（５）に支持され、キャビネット（１）の厚み分だけ距離を離して支持されるから、キャビネット（１）を安定して支持することができる。更に、スペーサ（３）に補強壁（３０）を設けていることにより、スペーサ（３）が高い場合にキャビネット（１）をスペーサ（３）の上面に載置しても、座屈に強い等の効果が考えられる。
尚、図９に示すように、キャビネット（１）の収納箱（１１）の下面が後方に向かって下向きに傾いている場合は、補強壁（３０）をスペーサ（３）の内側後端部に設け、取付け具（５）をスペーサ（３）の前端部に設けてもよい。この場合でも、キャビネット（１）は補強壁（３０）と取付け具（５）に前後端部を支持されて、安定して取り付けられる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスプレイ機器の全体斜視図である。
【図２】プラズマディスプレイのセル構造を示す断面図である。
【図３】（ａ）、（ｂ）は、夫々キャビネット及び支持台の正面図、右側面図である。
【図４】（ａ）、（ｂ）は、夫々スペーサを外した状態に於けるキャビネット及び支持台の正面図、右側面図である。
【図５】スペーサと載置板の分解斜視図である。
【図６】受け片の平面図である。
【図７】スペーサを載置板に取り付けた状態を示す斜視図である。
【図８】スピーカボックスが載置板にネジ止めされた状態を示す斜視図である。
【図９】別の実施例を示す右側面図である。
【図１０】従来の画像表示ユニットの側面図である。
【符号の説明】
（１）　　キャビネット
（２）　　支持台
（３）　　スペーサ
（４）　　スピーカボックス
（５）　　取付け具
（６）　　受け片
（１０）　　ディスプレイ面
（２０）　　載置板
（３０）　　補強壁
（３１）　　傾斜面
【図１】
2004085742.tif 000003
【図２】
2004085742.tif 000004
【図３】
2004085742.tif 000005
【図４】
2004085742.tif 000006
【図５】
2004085742.tif 000007
【図６】
2004085742.tif 000008
【図７】
2004085742.tif 000009
【図８】
2004085742.tif 000010
【図９】
2004085742.tif 000011
【図１０】
2004085742.tif 000012